(57)【要約】【課題】  ラップフィルムを鋸刃で切断する際やラップフィルムを手で持ち運ぶ際等に誤って指を鋸刃に接触しても、傷つけ難く、また傷付いたとしてもその切傷の度合いを極力抑えることができる安全性の高いラップフィルム収納ケースを提供する。【解決手段】  円筒状に巻かれたラップフィルム３が収納されるケース本体２に、該ケース本体２の開口部を覆う蓋体２ｂが回動自在に形成されているとともに、該蓋体２ｂの先端にはケース本体２の前側板２ｃと重なり合う紙蓋片２ｂ１が連結されているラップフィルム収納ケース１において、紙蓋片２ｂ１の先端側にラップフィルム３を切断するために金属鋸刃４を設け、該金属鋸刃４の歯４ａの突出を抑えるために紙蓋片２ｂ１の先端を金属鋸刃４の歯４ａの山と谷との間にまで延出させた。【選択図】  図１
2005187015.tif 000002
【特許請求の範囲】
【請求項１】
円筒状に巻かれたラップフィルムが収納されるケース本体に、該ケース本体の開口部を覆う蓋体が回動自在に形成されているとともに、該蓋体の先端にはケース本体の前側板と重なり合う紙蓋片が連結されているラップフィルム収納ケースにおいて、
前記紙蓋片の先端側には前記ラップフィルムを切断するために金属鋸刃が設けられ、
前記紙蓋片の先端は、前記金属鋸刃の歯の突出を抑えるように、前記金属鋸刃の歯の山と谷との間にまで延出していることを特徴とするラップフィルム収納ケース。
【請求項２】
請求項１に記載のラップフィルム収納ケースにおいて、
前記金属鋸刃の歯の先端から前記紙蓋片の先端までの突出長さは、０．３ｍｍ〜０．５ｍｍであることを特徴とするラップフィルム収納ケース。
【請求項３】
請求項１に記載のラップフィルム収納ケースにおいて、
前記金属鋸刃の歯のピッチを２．０ｍｍ〜３．０ｍｍにしたことを特徴とするラップフィルム収納ケース。
【請求項４】
請求項１に記載のラップフィルム収納ケースにおいて、
前記金属鋸刃の両端側では、前記紙蓋片の先端からの突出長さを大きくしたことを特徴とするラップフィルム収納ケース。
【請求項５】
請求項４に記載のラップフィルム収納ケースにおいて、
前記突出長さを大きくした金属鋸刃の両端側の近傍に、ラップフィルム切断時に指を切らないように、指ガードを設けたことを特徴とするラップフィルム収納ケース。
【請求項６】
請求項１に記載のラップフィルム収納ケースにおいて、
前記紙蓋片の先端は、前記ケース本体の長手方向に沿って傾斜状にされ、
該紙蓋片の傾斜に併せて前記金属鋸刃を傾斜させ、該金属鋸刃の歯の突出長さを一定にしたことを特徴とするラップフィルム収納ケース。
【請求項７】
請求項１に記載のラップフィルム収納ケースにおいて、
前記紙蓋片の中央側の幅を両端側の幅よりも長くし、
該紙蓋片の形状に併せて前記金属鋸刃の形状を決定し、該金属鋸刃の歯の突出長さを一定にしたことを特徴とするラップフィルム収納ケース。
【発明の詳細な説明】
【技術分野】
【０００１】
本発明は、食品包装等に用いられる円筒状に巻かれたラップフィルムを収納するためのラップフィルム収納ケースに関する。
特に、使用時等に手等を傷付けるようなことのない安全性の高いラップフィルム収納ケースに関する。
【背景技術】
【０００２】
従来から、ラップフィルム収納ケースとして種々のものが上市されており、現在でも使い勝手を改良すべく新しい製品が提供されてきている。
ラップフィルム収納ケースは、四角柱状の紙製の収納ケースの開放端に長尺の金属鋸刃が設けられたものが主流をなしている。
特に金属鋸刃は、ラップフィルムを切断する上で重要な部分であることから、特に金属鋸刃の形状に工夫をしたものが幾つか提案されている（特許文献１参照）。
【０００３】
その中で特許文献１は、金属鋸刃の形状に特有のものを使っており、例えば、実施例には、金属鋸刃の歯の高さ（山の頂の仮想線と谷の底の仮想線間の距離）が０．５ｍｍ、歯の傾斜角（山の稜線の間の角度）は６０°、また、歯のピッチ（山の中心仮想線間の距離）が１．０８ｍｍ、歯の先端に形成される円弧の半径は０．０６ｍｍ、平坦な谷部が０．５ｍｍと設計された金属鋸刃が開示されている。
このような形状とすることにより、一応、指等を傷付けることが少なくなって安全性が保証され、また切断性能も確保できるようになった。
【０００４】
なお、金属鋸刃を採用する理由としては、切断性能が優れていることの他に、切断音の良さが挙げられる。
因みに、この切断音にも消費者が魅力を感じるものであることが市場調査によっても確認されている。
【０００５】
【特許文献１】特開平８−３１８９３５号公報  （欄３，４）
【発明の開示】
【発明が解決しようとする課題】
【０００６】
しかしながら、上述したような安全性の確保を図った鋸刃でも、ラップフィルムを切断する際やラップフィルムを手で把持して持ち運ぶ際に、誤って指を刃に接触させ、その結果、刃先を皮膚面に食い込ませて、切傷してしまう場合があった。
すなわち、金属鋸刃の歯山も谷部も金属部分が露出しており、且つ金属鋸刃全体の露出範囲が広いためで皮膚面へ大きく食い込むことが原因である。
【０００７】
本発明は、かかる技術背景をもとになされたもので、上記の従来技術の問題点を克服するためになされたものである。
すなわち、本発明は、ラップフィルムを鋸刃で切断する際やラップフィルムを手で掴んで持ち運ぶ際等に誤って指を鋸刃に接触しても、傷つけ難く、また傷付いたとしてもその切傷の度合いを極力抑えることができる安全性の高いラップフィルム収納ケースを提供することを目的とする。
【課題を解決するための手段】
【０００８】
本発明は、（１）、円筒状に巻かれたラップフィルムが収納されるケース本体に、該ケース本体の開口部を覆う蓋体が回動自在に形成されているとともに、該蓋体の先端にはケース本体の前側板と重なり合う紙蓋片が連結されているラップフィルム収納ケースにおいて、前記紙蓋片の先端側には前記ラップフィルムを切断するために金属鋸刃が設けられ、前記紙蓋片の先端は、前記金属鋸刃の歯の突出を抑えるように、前記金属鋸刃の歯の山と谷との間にまで延出しているラップフィルム収納ケースことに存する。
【０００９】
また本発明は、（２）、請求項１に記載のラップフィルム収納ケースにおいて、前記金属鋸刃の歯の先端から前記紙蓋片の先端までの突出長さは、０．３ｍｍ〜０．５ｍｍであるラップフィルム収納ケースに存する。
【００１０】
また本発明は、（３）、請求項１に記載のラップフィルム収納ケースにおいて、前記金属鋸刃の歯のピッチを２．０ｍｍ〜３．０ｍｍにしたラップフィルム収納ケースに存する。
【００１１】
また本発明は、（４）、請求項１に記載のラップフィルム収納ケースにおいて、前記金属鋸刃の両端側では、前記紙蓋片の先端からの突出長さを大きくしたラップフィルム収納ケースに存する。
【００１２】
また本発明は、（５）、請求項４に記載のラップフィルム収納ケースにおいて、前記突出長さを大きくした金属鋸刃の両端側の近傍に、ラップフィルム切断時に指を切らないように、指ガードを設けたラップフィルム収納ケースに存する。
【００１３】
また本発明は、（６）、請求項１に記載のラップフィルム収納ケースにおいて、前記紙蓋片の先端は、前記ケース本体の長手方向に沿って傾斜状にされ、該紙蓋片の傾斜に併せて前記金属鋸刃を傾斜させ、該金属鋸刃の歯の突出長さを一定にしたラップフィルム収納ケースに存する。
【００１４】
また本発明は、（７）、請求項１に記載のラップフィルム収納ケースにおいて、前記紙蓋片の中央側の幅を両端側の幅よりも長くし、該紙蓋片の形状に併せて前記金属鋸刃の形状を決定し、該金属鋸刃の歯の突出長さを一定にしたラップフィルム収納ケースに存する。
【００１５】
なお、本発明の目的に添ったものであれば、上記（１）から（７）を適宜組み合わせた構成も採用可能である。
【発明の効果】
【００１６】
本発明によれば、紙蓋片の先端側にはラップフィルムを切断するための金属鋸刃が設けられ、紙蓋片の先端は、金属鋸刃の歯の突出を抑えるように、金属鋸刃の歯の山と谷との間にまで延出しているので、紙蓋片から突出した金属鋸刃の突出長さを小さくすることができる。
そのため、例えば、ラップフィルムを切断するときに手を金属鋸刃に引掛けてしまっても、金属鋸刃の歯が皮膚に深く突き刺さることがない。
また、紙蓋片の先端が、丁度、皮膚を受ける部分となるために、尚更、突き刺さりが防止される。
仮に、金属鋸刃の長手方向に手を擦り当ててしまっても、深い切り傷を負うことはない。
従って、指先の動作に難のある高齢者、弱視者、又は小児でも安全に安心して使用することができる。
【発明を実施するための最良の形態】
【００１７】
以下、本発明を実施するための最良の形態を図面に基づいて説明する。
（第１実施形態）
図１は、本発明の第１実施形態に係るラップフィルム収納ケースを示す斜視図である。
このラップフィルム収納ケース１は、四角柱状のケース本体２の内部に、円筒状の紙筒に巻かれたラップフィルム３が収容されたものである。
ケース本体２の長辺の１つはヒンジ部２ａとされており、このヒンジ部２ａを中心にケース本体２の上面の蓋体２ｂが回動される。
【００１８】
蓋体２ｂの先端には、ケース本体２の前側板２ｃと重なり合う紙蓋片２ｂ１が垂下されている。
紙蓋片２ｂ１には、紙蓋片２ｂ１の先端側に設けられたラップフィルム３を切断するための金属鋸刃４を覆うように、直進破断線状のミシン目を介して、バージンシート２ｂ２が設けられている。
バージンシート２ｂ２を切り取ると金属鋸刃４が露出する。
ここで、このミシン目を構成するスリットとスリットとの間（等間隔）の接合部２ｂ３は、その幅が、結合強度及び塵発生の観点から０．４〜１．０ｍｍの範囲が好ましい。
【００１９】
０．４ｍｍより小さくすると結合力が弱くなり意図せずにバージンシート２ｂ２を引き剥がしてしまう恐れがある。
また１．０ｍｍより大きいとバージンシート２ｂ２を切り取る際に、紙蓋片側に屑を多く残してしまい、バージンシート２ｂ２を切り取った後の紙蓋片２ｂ１の先端が、直線状の受け部とならない。
バージンシート２ｂ２を切り取った場合、紙蓋片２ｂ１の先端は、金属鋸刃４の歯４ａの突出を抑えるように、金属鋸刃４の歯４ａの山と谷との間にまで延出した状態となる。
そのため紙蓋片２ｂ１の先端は、金属鋸刃４の歯４ａの山と谷との間に位置し紙蓋片２ｂ１から突出した金属鋸刃４の突出長さを小さくすることができる。
金属鋸刃４の歯４ａの山と谷との間に位置する紙蓋片２ｂ１の先端の部分は直線状の受け部Ｒとなる。
【００２０】
このように金属鋸刃４の突出長さを小さくし、且つ紙蓋片２ｂ１により形成された受け部Ｒを有することから、例えば、ラップフィルム３を切断するときに手を金属鋸刃４に引掛けてしまっても、金属鋸刃４の歯４ａが皮膚に深く突き刺さることがない。
また紙蓋片２ｂ１の受け部により皮膚が受け止められるために尚更、皮膚が突き刺さるのを確実に阻止することとなる。
従って、指に傷を付けるようなことはなく高齢者、弱視者、又は小児でも安全に使用することができるのである。
【００２１】
図２は、金属鋸刃４の拡大図である。
この金属鋸刃４は、帯部４ｂと該帯部４ｂの端部に形成された歯４ａとを有している。
歯４ａは等間隔に配置されており、切断性能の観点から、歯４ａのピッチＬ１は２．０ｍｍ〜３．０ｍｍの間が好ましい。
【００２２】
歯４ａのピッチを３ｍｍより大きく取ると、ラップフィルム３の切断時、歯４ａと歯４ａとの間に位置するラップフィルム部分に亀裂が伝播し難くなり、切断性能が悪くなる。
その結果、歯４ａの数が減少して指へ切傷を阻止することができる。
またピッチを２．０ｍｍより小さくすると、指へ接触した場合の切傷の度合いが大きくなる。
【００２３】
図中、二点鎖線は紙蓋片２ｂ１の先端の位置を示しており、この位置から歯４ａの先端までの突出長さＬ３は、安全性と切断性能の観点から０．３ｍｍ〜０．５ｍｍの範囲で選択される。
突出長さＬ３が０．３ｍｍより短いとラップフィルム３の切断性能が低下するが、指の切傷は防止される。
また突出長さＬ３が０．５ｍｍより長いと切断性能は向上するが指の切傷の可能性が生じる。
もっとも、万一手に傷を付けてしまっても、この程度の突出長さでは軽微な傷で済ますことができ安全である。
【００２４】
なお、歯４ａの山の高さＬ２は、上記のように歯４ａのピッチＬ１や突出長さＬ３が画成される限り、適宜の長さの設定が可能である。
ところでラップフィルム３の切断は、金属鋸刃４の歯４ａの先端がラップフィルム３を切開した後、亀裂が伝播することで遂行される。
紙蓋片２ｂ１の先端、すなわち受け部Ｒは、ラップフィルム３が意図しない方向へ亀裂するのを的確に防止する。
すなわち、紙蓋片２ｂ１の受け部Ｒは、ラップフィルムが真っ直ぐに切断されるように案内するのである。
【００２５】
ここで歯４ａの山の傾斜角θは、切断の切っ掛けの掴み易さや切断音の観点から、６５°以下の範囲が好ましい。
すなわち、この範囲を越えるとラップフィルム３への歯の食込みが悪くなると同時に、切断音の爽快感を低下させてしまう。
この切断音は前述したように切断時の切断達成感を得るには無視できない。
【００２６】
以下、ラップフィルム３を切断する方法について説明する。
先ず、図３（Ａ）に示すように、左手の親指を紙蓋片２ｂ１に当てがいケース本体２を左手で把持し、ラップフィルム３が巻かれた円筒状の紙筒を回転させながら、ラップフィルム３をケース本体内から引き出す。
このとき、ラップフィルム３の一端の中央付近を右手の親指と人差し指との間に挟み込みながら引き出すと良い。
ラップフィルム３は、前側板２Ｃの上端にガイドされてスムースに引き出される。
【００２７】
次いで、図３（Ｂ）に示すように、ラップフィルム３を把持したまま蓋体２ｂを元の位置に閉じる。
これで、ラップフィルム３は前側板２ｃと紙蓋片２ｂ１との間で拘束される。
【００２８】
次いで、図４（Ａ）に示すように、ケース本体２を図中矢印Ａ方向へ捻り、ラップフィルム３を一端から他端に向けて切断する。
もっとも、図中矢印Ａ方向とは反対方向へラップフィルム３を持ち上げて切断しても良いが、例えば、ラップフィルム３を食品等に被せるために所定位置に配置したまま切断したい場合には、ケース本体２を捻った方が良いことが理解されよう。
またその方がラップフィルム３に皺が付くのを抑えることができる。
【００２９】
図４（Ｂ）は、ラップフィルム３を切断した直後の状態である。
このように、ラップフィルム３には皺が発生せず、切断されたラップフィルム３を歪みなく食品等に対して覆うことができる。
【００３０】
（第２実施形態）
図５は本発明の第２実施形態に係るラップフィルム収納ケースを示している。
第１実施形態のラップフィルム収納ケース１に比べ、紙蓋片の形状と金属鋸刃の形状のみ異なる。
ラップフィルム収納ケース５のケース本体６の紙蓋片６ａは、その先端側がケース本体６の長手方向に沿って傾斜状にされている。
そして、この紙蓋片６ａの先端側には、紙蓋片６ａの先端側の傾斜に併せて金属鋸刃７が傾斜して配置され、金属鋸刃７の歯７ａの突出長さが一定に形成されている。
【００３１】
図６は、金属鋸刃７の拡大図である。
この金属鋸刃７は、帯部７ｂとこの帯部７ｂの端部に形成された歯７ａとを有している。
歯７ａは等間隔に配置されており、歯７ａのピッチＬ４、歯４ａの山の高さＬ５は、それぞれ金属鋸刃４の歯４ａのピッチＬ１、歯４ａの山の高さＬ２と同様にされている。
【００３２】
図中、二点鎖線は紙蓋片６ａの先端、すなわち受け部Ｒの位置を示しており、この位置から歯７ａの先端までの突出長さＬ６は、歯４ａの突出長さＬ３と同様にされている。
歯７ａの山の傾斜角θは、歯４ａと同様にされている。
この第２実施形態では第１実施形態と同様の効果を奏する上、更に以下に示す効果を奏する。
【００３３】
すなわち、ラップフィルム３を持ち上げて切断する（図５中、裏側から表側に向けて）いわゆる持上げ切り行う場合には、このように傾斜を設けると、引き出されたラップフィルム３を然程持ち上げなくとも一端から他端に向けて（図５中、上側から下側に向けて）容易に切断することができる。
いわゆる切り始めの部分（図５で云う上側）が早くラップフィルム３に当接するために鋭く切断が遂行される。
また、ケース本体６を捻って切断する場合にも、ケース本体６を図５中、表側から裏側に向けて下方へ多少捻るだけでラップフィルム３を、同様に一端から他端に向けて容易に切断することができるという効果がある。
また、どちらの切り方も長い距離で切断するため切断歯に無理な加重が加わらない。
【００３４】
（第３実施形態）
図７は本発明の第３実施形態に係るラップフィルム収納ケースを示している。
この第３実施形態のラップフィルム収納ケース８は、第１実施形態のラップフィルム収納ケース１に比べ、紙蓋片の形状と金属鋸刃の形状のみ異なる。
ラップフィルム収納ケース８のケース本体９の紙蓋片９ａは、その中央側の幅が両端側の幅よりも長くされており、紙蓋片９ａの先端はＶ字状に形成されている。
そして、紙蓋片９ａの形状に併せて金属鋸刃１０の形状が決定され、この紙蓋片９ａの先端側に金属鋸刃１０が配置される。
【００３５】
この第３実施形態では第１実施形態と同様の効果を奏する上、更に以下に示す効果を奏する。
すなわち、ラップフィルム収納ケース８を保持している左手首を、ケース本体９を図でいう表側から裏側へ回転させ、ラップフィルム幅方向の中央側から両端に向けて一挙に切断する、いわゆる中央回転切りを行うことができ、迅速に且つラップフィルム３に皺を発生させずに食品等に被せることができる。
このようなＶ字状の紙蓋片９ａの先端から突出している金属鋸刃１０の歯は、比較的、指等に接触し易いが、本発明では歯の突出長さが短いので、傷を付けにくい。
【００３６】
（第４実施形態）
図８は本発明の第４実施形態に係るラップフィルム収納ケースを示している。  この第４実施形態のラップフィルム収納ケース１１は、第１実施形態のラップフィルム収納ケース１に比べ、蓋体の形状のみ異なる。
ケース本体１２の蓋体１２ａの紙蓋片１２ａ１には、両端側付近にＶ字状の切欠部１２ａ２が形成されている。
この切欠部１２ａ２に配置される金属鋸刃１３は、紙蓋片１２ａ１の先端からの突出長さが大きく形成されており、露出部が広い。
【００３７】
そのため、ラップフィルムを持上げ切りする場合に、ラップフィルムの切始めの切っ掛けを与えることが可能で、切断を容易に行うことができる。
また、右利きの人、左利きの人双方、この利点を享受することができる。
【００３８】
ケース本体１２の長手方向と直行する蓋体１２ａの側面１２ａ３の高さ方向長さＬ７は、紙蓋片１２ａ１の高さ方向長さＬ８よりも長く形成されている。
前蓋片１２ａ１の両端側は一定幅だけ側面１２ａ３と同じ長さとなっている。
すなわち、側面１２ａ３が内側に折り曲げられる状態となり、いわゆる指ガード１２ａ４が形成されることになる。
そのため、この指ガード１２ａ４の存在により、ラップフィルム切断時に、不用意にも切欠部１２ａ２に大きく露出している金属刃１３に指が接触するのを阻止する。
【００３９】
この第４実施形態では、第１実施形態と同様の効果を奏する上、更に以下に示す効果を奏する。
すなわち、ラップフィルムの切り始めがシャープに行えることとなる。
また前蓋片１２ａ１が金属鋸刃１３の上面に被さっているため、指ガード１２ａ４と金属鋸刃１３とにより段差が形成され、ラップフィルム切断時に指が指ガード１２ａ４を擦るように通過しても金属鋸刃１３に、直接、指が引掛かることがなく、指を切傷してしまうのを防ぐことができる。
【００４０】
以上、本発明を説明してきたが、本発明は上述した第１〜４実施形態にのみ限定されるものではなく、その本質を逸脱しない範囲で、他の種々の変形例が可能であることはいうまでもない。
例えば、上述した第１〜３実施形態では、ケース本体２，６，９を左手で把持した例について説明したが、右手で把持して行っても効果的には同様なことが云える。
【００４１】
また、例えば、上述した第１〜４実施形態では、金属性の金属鋸刃４，７，１０，１３を用いた例について説明したが、金属鋸刃は金属でなくセラミック或いはプラスチックであっても良い。
要するにラップフィルム３を的確に切断することができるものであれば良い。
【図面の簡単な説明】
【００４２】
【図１】図１は、本発明の第１実施形態に係るラップフィルム収納ケースを示す斜視図である。
【図２】図２は、図１の金属鋸刃の拡大図である。
【図３】図３は、ラップフィルムの切断方法を示す説明図である。（Ａ）は、ラップフィルムを引き出している状態を示しており、（Ｂ）は、ラップフィルムの一端を手で把持しつつケース本体の蓋体を閉じた状態を示している。
【図４】図４は、ラップフィルムの切断方法を示す説明図である。（Ａ）は、ラップフィルムの切断開始時の状態を示しており、（Ｂ）は、ラップフィルムを切断した直後の状態を示している。
【図５】図５は、本発明の第２実施形態に係るラップフィルム収納ケースを示す説明図である。
【図６】図６は、図５の金属鋸刃の拡大図である。
【図７】図７は、本発明の第３実施形態に係るラップフィルム収納ケースを示す説明図である。
【図８】図８は、本発明の第４実施形態に係るラップフィルム収納ケースを示す説明図  である。
【符号の説明】
【００４３】
１，５，８，１１  ラップフィルム収納ケース
２，６，９，１２  ケース本体
２ａ  ヒンジ部
２ｂ，１２ａ  蓋体
２ｃ，１２ｂ  前側板
２ｂ１，６ａ，９ａ，１２ａ１  紙蓋片
２ｂ２  バージンシート
２ｂ３  接合部
３  ラップフィルム
４，７，１０，１３  金属鋸刃
４ａ，７ａ，１３ａ  歯
４ｂ，７ｂ  帯部
１２ａ２  切欠部
１２ａ３  側面
１２ａ４  指ガード
Ｌ１，Ｌ４  ピッチ
Ｌ２，Ｌ５  歯の山の高さ
Ｌ３，Ｌ６  突出長さ
Ｌ７，Ｌ８  高さ方向長さ
Ｒ  受け部
【図１】
2005187015.tif 000003
【図２】
2005187015.tif 000004
【図３】
2005187015.tif 000005
【図４】
2005187015.tif 000006
【図５】
2005187015.tif 000007
【図６】
2005187015.tif 000008
【図７】
2005187015.tif 000009
【図８】
2005187015.tif 000010